(57)【要約】【課題】装着されているディスクがどの規格に基づいて記録されているかを意識することなく、動画像データを簡単に記録できるようにする。【解決手段】ディスク１１２がDVD＿VIDEO規格であって、AVCHD規格で記録を行う場合に、AVCHD規格に基づく動画像ストリーム及び管理情報ファイルをUDF1.05ファイルシステム１０４により記録するようにして、装着されているディスクがどの規格に基づいて記録されているかを意識することなく、動画像データを簡単に記録することができるようにする。【選択図】図１
2009017478.tif 000002
【特許請求の範囲】
【請求項１】
第１の記録フォーマットにしたがう第１の動画像ストリームと前記第１の記録フォーマットとは異なる第２の記録フォーマットにしたがう第２の動画像ストリームとを生成する手段と、
前記第１の動画像ストリームまたは第２の動画像ストリームを、前記第１の記録フォーマットに対応する第１のファイルシステムまたは前記第２の記録フォーマットに対応する第２のファイルシステムを用いて記録媒体に記録する記録手段と、
前記第１のファイルシステムを用いて前記第１の動画像ストリームが記録された前記記録媒体に対し、前記第１のファイルシステムを用いて前記第２の動画像ストリームを記録するように前記記録手段を制御する制御手段とを有することを特徴とする記録装置。
【請求項２】
前記第１の動画像ストリーム及び第２の動画像ストリームが記録された記録媒体に対し、前記第１の記録フォーマット及び第２の記録フォーマットの何れの記録フォーマットに応じたファイナライズ処理を行うかを選択する手段を備え、
前記制御手段は、前記第１の記録フォーマットが選択された場合には、ファイナライズ処理において前記第１の記録フォーマットに対応する管理情報と前記第１のファイルシステムに応じたファイルシステム情報とを前記記録媒体に記録し、前記第２の記録フォーマットが選択された場合には、ファイナライズ処理において前記第２の記録フォーマットに対応する管理情報と前記第２のファイルシステムに応じたファイルシステム情報とを前記記録媒体に記録するよう前記記録手段を制御することを特徴とする請求項１に記載の記録装置。
【請求項３】
前記記録媒体に対して前記第１の動画像ストリームと第２の動画像ストリームとが記録されている旨を通知する通知手段を有することを特徴とする請求項１に記載の記録装置。
【請求項４】
第１の記録フォーマットにしたがう第１の動画像ストリームまたは前記第１の記録フォーマットとは異なる第２の記録フォーマットにしたがう第２の動画像ストリームから映像信号を生成する手段と、
前記第１の動画像ストリームまたは第２の動画像ストリームを、前記第１の記録フォーマットに対応する第１のファイルシステムまたは前記第２の記録フォーマットに対応する第２のファイルシステムを用いて記録媒体から再生する再生手段と、
前記第１のファイルシステムを用いて前記第２の動画像ストリームが記録された記録媒体から、前記第１のファイルシステムを用いて前記第２の動画像ストリームを再生するように前記再生手段を制御する制御手段とを有することを特徴とする再生装置。
【請求項５】
前記記録媒体に対して前記第１の動画像ストリームと第２の動画像ストリームとが記録されている旨を通知する通知手段を有することを特徴とする請求項４に記載の再生装置。
【請求項６】
前記制御手段は、前記第２の動画像ストリームを、前記第１の記録フォーマットに対応する復号化方式で再生するように前記再生手段を制御することを特徴とする請求項４に記載の再生装置。
【請求項７】
第１の記録フォーマットにしたがう第１の動画像ストリームと前記第１の記録フォーマットとは異なる第２の記録フォーマットにしたがう第２の動画像ストリームとを生成する工程と、
前記第１の動画像ストリームまたは第２の動画像ストリームを、前記第１の記録フォーマットに対応する第１のファイルシステムまたは前記第２の記録フォーマットに対応する第２のファイルシステムを用いて記録媒体に記録する記録工程と、
前記第１のファイルシステムを用いて前記第１の動画像ストリームが記録された前記記録媒体に対し、前記第１のファイルシステムを用いて前記第２の動画像ストリームを記録するように前記記録工程における処理を制御する制御工程とを有することを特徴とする記録方法。
【請求項８】
前記第１の動画像ストリーム及び第２の動画像ストリームが記録された記録媒体に対し、前記第１の記録フォーマット及び第２の記録フォーマットの何れの記録フォーマットに応じたファイナライズ処理を行うかを選択する工程を備え、
前記制御工程においては、前記第１の記録フォーマットが選択された場合には、ファイナライズ処理において前記第１の記録フォーマットに対応する管理情報と前記第１のファイルシステムに応じたファイルシステム情報とを前記記録媒体に記録し、前記第２の記録フォーマットが選択された場合には、ファイナライズ処理において前記第２の記録フォーマットに対応する管理情報と前記第２のファイルシステムに応じたファイルシステム情報とを前記記録媒体に記録するよう前記記録工程における処理を制御することを特徴とする請求項７に記載の記録方法。
【請求項９】
前記記録媒体に対して前記第１の動画像ストリームと第２の動画像ストリームとが記録されている旨を通知する通知工程を有することを特徴とする請求項７に記載の記録方法。
【請求項１０】
第１の記録フォーマットにしたがう第１の動画像ストリームまたは前記第１の記録フォーマットとは異なる第２の記録フォーマットにしたがう第２の動画像ストリームから映像信号を生成する工程と、
前記第１の動画像ストリームまたは第２の動画像ストリームを、前記第１の記録フォーマットに対応する第１のファイルシステムまたは前記第２の記録フォーマットに対応する第２のファイルシステムを用いて記録媒体から再生する再生工程と、
前記第１のファイルシステムを用いて前記第２の動画像ストリームが記録された記録媒体から、前記第１のファイルシステムを用いて前記第２の動画像ストリームを再生するように前記再生工程における処理を制御する制御工程とを有することを特徴とする再生方法。
【請求項１１】
前記記録媒体に対して前記第１の動画像ストリームと第２の動画像ストリームとが記録されている旨を通知する通知工程を有することを特徴とする請求項１０に記載の再生方法。
【請求項１２】
前記制御工程においては、前記第２の動画像ストリームを、前記第１の記録フォーマットに対応する復号化方式で再生するように前記再生工程における処理を制御することを特徴とする請求項１０に記載の再生方法。
【請求項１３】
第１の記録フォーマットにしたがう第１の動画像ストリームと前記第１の記録フォーマットとは異なる第２の記録フォーマットにしたがう第２の動画像ストリームとを生成する工程と、
前記第１の動画像ストリームまたは第２の動画像ストリームを、前記第１の記録フォーマットに対応する第１のファイルシステムまたは前記第２の記録フォーマットに対応する第２のファイルシステムを用いて記録媒体に記録する記録工程と、
前記第１のファイルシステムを用いて前記第１の動画像ストリームが記録された前記記録媒体に対し、前記第１のファイルシステムを用いて前記第２の動画像ストリームを記録するように前記記録工程における処理を制御する制御工程とをコンピュータに実行させることを特徴とするプログラム。
【請求項１４】
第１の記録フォーマットにしたがう第１の動画像ストリームまたは前記第１の記録フォーマットとは異なる第２の記録フォーマットにしたがう第２の動画像ストリームから映像信号を生成する工程と、
前記第１の動画像ストリームまたは第２の動画像ストリームを、前記第１の記録フォーマットに対応する第１のファイルシステムまたは前記第２の記録フォーマットに対応する第２のファイルシステムを用いて記録媒体から再生する再生工程と、
前記第１のファイルシステムを用いて前記第２の動画像ストリームが記録された記録媒体から、前記第１のファイルシステムを用いて前記第２の動画像ストリームを再生するように前記再生工程における処理を制御する制御工程とをコンピュータに実行させることを特徴とするプログラム。
【請求項１５】
請求項１３または１４に記載のプログラムを記憶したことを特徴とするコンピュータ読み取り可能な記憶媒体。
【発明の詳細な説明】
【技術分野】
【０００１】
本発明は記録装置、再生装置、記録方法、再生方法、プログラム及び記憶媒体に関し、特に、互いに異なる規格の動画像データを記録または再生するために用いて好適な技術に関する。
【背景技術】
【０００２】
現在、ＤＶＤ−Ｒ／ＲＷ、ＤＶＤ−ＲＡＭ、ＤＶＤ＋Ｒ／ＲＷなどのディスクメディアに画像データを記録するＤＶＤビデオカメラが普及してきている。このようなＤＶＤビデオカメラでは、DVD＿VIDEOフォーマットやDVD＿VRフォーマットなど、複数の記録フォーマットに対応した記録が可能であり、ユーザは、ディスクを初期化する時に記録フォーマットを選択することが可能である。また、初期化済みのディスクを挿入した場合には、自動で記録フォーマットを判別し、その判別結果に応じた記録フォーマットで追記記録を行うことが可能になっている。
【０００３】
DVD＿VIDEOフォーマット及びDVD＿VRフォーマットでは、ファイルシステムとしてそれぞれUDF Ver1.05及びUDF Ver2.00を用いており、ファイルシステムの互換性は低い。ところが、記録される動画像コンテンツとしては両方ともＭＰＥＧ方式を用いており、画像の解像度も７２０×４８０、３６０×２４０等、同一のサイズがサポートされている。このため、ユーザはどちらのフォーマットで記録しても再生される動画像コンテンツに差異が少なく、昨今は両方のフォーマットに対応したプレーヤーも普及している。
【０００４】
また、データフォーマットが互いに異なる、動画フォーマットのDVD＿VIDEOフォーマット及び静止画フォーマットのＤＣＦフォーマットの両方を初期化することなく同一記録メディアに存在可能にした技術も開示されている（例えば、特許文献１参照）。前記特許文献１に記載の技術によれば、画像データを追加記録したり、削除の編集をしたりすることを可能としている。
【０００５】
また、異なったフォーマット形式でフォーマットされた記録媒体を挿入した場合でも、記録媒体に既に記録されている既存データを検知し、その既存データを内部メモリに一時的に保存する技術も開示されている（例えば、特許文献２参照）。前記特許文献２に記載の技術によれば、動画データを記録するのに最適なフォーマット形式でその記録媒体を再度初期化し、内部メモリに退避された既存データをフォーマットした後の記録媒体に復元している。
【０００６】
また、デジタルハイビジョン放送が開始されたり、Blu-ray、HD DVDなどの大容量な次世代記録メディアなどが普及し始めたりしている。ビデオカメラにおいても磁気テープにハイビジョン映像を記録するＨＤＶ規格に対応した機器がある。ＤＶＤやＨＤＤなどのディスクメディアやメモリカードに対してハイビジョン映像を記録するための新たな規格として、AVCHD（Advanced Video Codec High Definition）の規格の策定が進んでいる。
【０００７】
【特許文献１】特開２００１−２２３９８０号公報
【特許文献２】特開２００４−７２７５３号公報
【発明の開示】
【発明が解決しようとする課題】
【０００８】
しかしながら、この新たな規格（AVCHD規格）では、大容量次世代記録メディア等との互換性の問題から、用いられるファイルシステムが既存のDVD＿VIDEO規格やDVD＿VR規格と互換性がない。また、画像の圧縮方式もハイビジョン映像に対応するため、ＭＰＥＧ２ではなくMPEG-4 AVC / H.264方式を用いる。したがって、既存DVD＿VIDEO規格や、DVD＿VR規格に基づいて初期化されたディスクをビデオカメラに挿入し場合に、異なる規格のハイビジョン映像を記録できなかった。この結果、ユーザはハイビジョン映像を記録する場合には、挿入されているディスクのフォーマット形式がその規格のものであることをいちいち確認しなければならないという問題点があった。
【０００９】
そこで、この問題点を解決するために、前記特許文献２に記載されている技術を用いてデータを変換する方法が考えられる。ところが、退避メモリや新規フォーマットへ変換するための変換回路が必要になり、コストが多く掛かってしまう。さらに、変換する時間を要することになり、結果として、ユーザが所望の画像を記録するためには複雑な処理を行わなければならない。
【００１０】
本発明は前述の問題点に鑑み、装着されているディスクがどの規格に基づいて記録されているかを意識することなく、動画像データを簡単に記録できるようにすることを目的としている。
【課題を解決するための手段】
【００１１】
本発明の記録装置は、第１の記録フォーマットにしたがう第１の動画像ストリームと前記第１の記録フォーマットとは異なる第２の記録フォーマットにしたがう第２の動画像ストリームとを生成する手段と、前記第１の動画像ストリームまたは第２の動画像ストリームを、前記第１の記録フォーマットに対応する第１のファイルシステムまたは前記第２の記録フォーマットに対応する第２のファイルシステムを用いて記録媒体に記録する記録手段と、前記第１のファイルシステムを用いて前記第１の動画像ストリームが記録された前記記録媒体に対し、前記第１のファイルシステムを用いて前記第２の動画像ストリームを記録するように前記記録手段を制御する制御手段とを有することを特徴とする。
【００１２】
本発明の再生装置は、第１の記録フォーマットにしたがう第１の動画像ストリームまたは前記第１の記録フォーマットとは異なる第２の記録フォーマットにしたがう第２の動画像ストリームから映像信号を生成する手段と、前記第１の動画像ストリームまたは第２の動画像ストリームを、前記第１の記録フォーマットに対応する第１のファイルシステムまたは前記第２の記録フォーマットに対応する第２のファイルシステムを用いて記録媒体から再生する再生手段と、前記第１のファイルシステムを用いて前記第２の動画像ストリームが記録された記録媒体から、前記第１のファイルシステムを用いて前記第２の動画像ストリームを再生するように前記再生手段を制御する制御手段とを有することを特徴とする。
【００１３】
本発明の記録方法は、第１の記録フォーマットにしたがう第１の動画像ストリームと前記第１の記録フォーマットとは異なる第２の記録フォーマットにしたがう第２の動画像ストリームとを生成する工程と、前記第１の動画像ストリームまたは第２の動画像ストリームを、前記第１の記録フォーマットに対応する第１のファイルシステムまたは前記第２の記録フォーマットに対応する第２のファイルシステムを用いて記録媒体に記録する記録工程と、前記第１のファイルシステムを用いて前記第１の動画像ストリームが記録された前記記録媒体に対し、前記第１のファイルシステムを用いて前記第２の動画像ストリームを記録するように前記記録工程における処理を制御する制御工程とを有することを特徴とする。
【００１４】
本発明の再生方法は、第１の記録フォーマットにしたがう第１の動画像ストリームまたは前記第１の記録フォーマットとは異なる第２の記録フォーマットにしたがう第２の動画像ストリームから映像信号を生成する工程と、前記第１の動画像ストリームまたは第２の動画像ストリームを、前記第１の記録フォーマットに対応する第１のファイルシステムまたは前記第２の記録フォーマットに対応する第２のファイルシステムを用いて記録媒体から再生する再生工程と、前記第１のファイルシステムを用いて前記第２の動画像ストリームが記録された記録媒体から、前記第１のファイルシステムを用いて前記第２の動画像ストリームを再生するように前記再生工程における処理を制御する制御工程とを有することを特徴とする。
【００１５】
本発明のプログラムは、第１の記録フォーマットにしたがう第１の動画像ストリームと前記第１の記録フォーマットとは異なる第２の記録フォーマットにしたがう第２の動画像ストリームとを生成する工程と、前記第１の動画像ストリームまたは第２の動画像ストリームを、前記第１の記録フォーマットに対応する第１のファイルシステムまたは前記第２の記録フォーマットに対応する第２のファイルシステムを用いて記録媒体に記録する記録工程と、前記第１のファイルシステムを用いて前記第１の動画像ストリームが記録された前記記録媒体に対し、前記第１のファイルシステムを用いて前記第２の動画像ストリームを記録するように前記記録工程における処理を制御する制御工程とをコンピュータに実行させることを特徴とする。
また、本発明のプログラムの他の特徴とするところは、第１の記録フォーマットにしたがう第１の動画像ストリームまたは前記第１の記録フォーマットとは異なる第２の記録フォーマットにしたがう第２の動画像ストリームから映像信号を生成する工程と、前記第１の動画像ストリームまたは第２の動画像ストリームを、前記第１の記録フォーマットに対応する第１のファイルシステムまたは前記第２の記録フォーマットに対応する第２のファイルシステムを用いて記録媒体から再生する再生工程と、前記第１のファイルシステムを用いて前記第２の動画像ストリームが記録された記録媒体から、前記第１のファイルシステムを用いて前記第２の動画像ストリームを再生するように前記再生工程における処理を制御する制御工程とをコンピュータに実行させることを特徴とする。
【００１６】
本発明の記憶媒体は、前記の何れかに記載のプログラムを記憶したことを特徴とする。
【発明の効果】
【００１７】
本発明によれば、第１のファイルシステムを用いて第１の記録フォーマットに従う第１の動画像ストリームが記録された記録媒体に対し、前記第１のファイルシステムを用いて第２の記録フォーマットに従う第２の動画像ストリームを記録するようにした。これにより、装着されているディスクがどの規格に基づいて記録されているかを意識することなく、動画像データを簡単に記録することができる。
【発明を実施するための最良の形態】
【００１８】
（第１の実施形態）
以下、図面を参照しながら本発明の実施形態について説明する。
図１は、本実施形態に係る画像記録再生装置１００の構成例を示すブロック図である。本実施形態では、画像記録再生装置１００を記録装置として用いる場合について説明する。
図１において、１０１はVideo Basebandであり、入力端子を経由して入力される映像信号から画像データを抽出する機能を有している。さらに、ＭＰＥＧコーデック１０２、またはＨ．２６４コーデック１０５から出力される画像データを映像信号に変換する機能も有している。
【００１９】
１０２はＭＰＥＧコーデックであり、Video Baseband１０１から入力される画像データをＭＰＥＧ形式で圧縮して出力する機能を有している。さらに、入力されるＭＰＥＧ形式の圧縮データを伸張し、画像データを生成してVideo Baseband１０１に出力する機能も有している。
【００２０】
１０３はＰＳストリーム処理部であり、ＭＰＥＧコーデック１０２から入力されるＭＰＥＧ形式の圧縮データから動画像ストリーム（MPEG PSストリーム）を生成する機能を有している。さらに、入力されるMPEG PSストリームからＭＰＥＧ形式の圧縮データを生成する機能も有している。
【００２１】
１０４はUDF1.05ファイルシステムであり、入力されるデータをUDF1.05に準拠したファイル形式でディスク１１２に書き込む指示をDISC I/F１０８に対して行う機能を有している。さらに、UDF1.05に準拠した形式で記録されているディスク１１２からデータを読み出す機能も有している。
【００２２】
１０５はＨ．２６４コーデックであり、Video Baseband１０１から入力される画像データをＨ．２６４形式で圧縮して出力する機能を有している。さらに、入力されるＨ．２６４形式の圧縮データを伸張し、画像データを生成してVideo Baseband１０１に出力する機能も有している。
【００２３】
１０６はＴＳストリーム処理部であり、Ｈ．２６４コーデック１０５から入力されるＨ．２６４形式の圧縮データから動画像ストリーム（H.264 TSストリーム）を生成する機能を有している。さらに、入力されるH.264 TSストリームからＨ．２６４形式の圧縮データを生成する機能も有している。
【００２４】
１０７はUDF2.50ファイルシステムであり、入力されるデータをUDF2.50に準拠したファイル形式でディスク１１２に書き込む指示をDISC I/F１０８に対して行う機能を有している。さらに、UDF2.50に準拠した形式で記録されているディスク１１２からデータを読み出す機能も有している。
【００２５】
１０８はDISC I/Fであり、ATA、ATAPIなどのプロトコルを用いてディスク１１２にデータを記録再生する機能を有している。１０９は、画像記録再生装置１００の全体を制御するＣＰＵであり、１１０は、ＣＰＵ１０９と、Video Baseband１０１〜DISC I/F１０８、及び変換セレクタ１１１との間で各種のデータを転送する制御用データバスである。
【００２６】
１１１は変換セレクタであり、ディスク１１２へ記録するファイルシステムを選択する機能と、UDF1.05ファイルシステム１０４とUDF2.50ファイルシステム１０７との双方向変換機能とを有している。また、１１２はディスクであり、データを記録可能なＤＶＤ等のディスクメディアである。
【００２７】
１１３は表示制御部であり、ファイナライズ処理を行う際に、ユーザに対してどの規格に準拠したファイナライズ処理を行うのかをユーザに選択させる画面を表示部１１４に表示させる機能を有している。さらに、ディスク１１２に記録されている動画像ストリームを表示部１１４に一覧表示させる機能も有している。以上のように、画像記録再生装置１００は、Video Baseband１０１〜変換セレクタ１１１、及び表示制御部１１３によって構成されており、ディスク１１２は画像記録再生装置１００から脱着可能である。なお、本実施形態では、UDF1.05ファイルシステム１０４を第１のファイルシステムとし、UDF2.50ファイルシステム１０７を第２のファイルシステムとして説明する。
【００２８】
また、１１５は操作スイッチであり、後述する記録動作、再生動作、及びファイナライズ処理は、ユーザが操作スイッチ１１５を操作することにより行われる。
【００２９】
［未記録ディスクが挿入された場合のDVD＿VIDEO規格による記録動作］
本実施形態の画像記録再生装置１００において、未記録ディスクが挿入された場合におけるDVD＿VIDEO規格による記録動作は、ＣＰＵ１０９の制御に従って以下のような手順で行われる。
まず、DISC I/F１０８は、未記録ディスクであることを判別する。次に、変換セレクタ１１１をＰＳストリーム処理部１０３とUDF1.05ファイルシステム１０４とを接続するように設定する。そして、UDF1.05ファイルシステム１０４により未記録のディスク１１２を初期化する。
【００３０】
次に、Video Baseband１０１から入力される画像データをＭＰＥＧコーデック１０２によって圧縮してＭＰＥＧ形式の圧縮データを生成する。そして、ＰＳストリーム処理部１０３により、DVD＿VIDEO規格に準拠したMPEG PSストリームを生成する。そして、UDF1.05ファイルシステム１０４は、生成されたMPEG PSストリームをDISC I/F１０８を介してディスク１１２に記録する。
【００３１】
［DVD＿VIDEO規格に準拠した形式で記録されたディスクが挿入された場合の再生動作］
本実施形態の画像記録再生装置１００において、DVD＿VIDEO規格に準拠した形式で記録されたディスクが挿入された場合の再生動作は、ＣＰＵ１０９の制御に従って以下のような手順で行われる。
まず、DISC I/F１０８は、DVD＿VIDEO規格に準拠したディスクであることを判別する。次に、変換セレクタ１１１をＰＳストリーム処理部１０３とUDF1.05ファイルシステム１０４とを接続するように設定する。そして、UDF1.05ファイルシステム１０４により記録されているファイルを認識する。
【００３２】
次に、UDF1.05ファイルシステム１０４によりDVD＿VIDEO規格に準拠したMPEG PSストリームのファイルを読み出し、ＰＳストリーム処理部１０３によりＭＰＥＧ形式の圧縮データを生成する。そして、ＭＰＥＧコーデック１０２によりＭＰＥＧ形式の圧縮データを伸張し、伸張された画像データをVideo Baseband１０１により出力端子を経由して出力する。
【００３３】
［未記録ディスクが挿入された場合のAVCHD規格による記録動作］
本実施形態の画像記録再生装置１００において、未記録ディスクが挿入された場合のAVCHD規格による記録動作は、ＣＰＵ１０９の制御に従って以下のような手順で行われる。
まず、DISC I/F１０８は、未記録ディスクであることを判別する。次に、変換セレクタ１１１をＴＳストリーム処理部１０６とUDF2.50ファイルシステム１０７とを接続するように設定する。そして、UDF2.50ファイルシステム１０７により未記録のディスク１１２を初期化する。
【００３４】
次に、Video Baseband１０１から入力される画像データをＨ．２６４コーデック１０５によって圧縮してＨ．２６４形式の圧縮データを生成する。そして、ＴＳストリーム処理部１０６によりAVCHD規格に準拠したH.264 TSストリームを生成する。そして、UDF2.50ファイルシステム１０７は、生成されたH.264 TSストリームをDISC I/F１０８を介してディスク１１２に記録する。
【００３５】
［AVCHD規格に準拠した形式で記録されたディスクが挿入された場合の再生動作］
本実施形態の画像記録再生装置１００において、AVCHD規格に準拠した形式で記録されたディスクが挿入された場合の再生動作は、ＣＰＵ１０９の制御に従って以下のような手順で行われる。まず、DISC I/F１０８を用いてAVCHD規格に準拠したディスクであることを判別する。次に、変換セレクタ１１１をＴＳストリーム処理部１０６とUDF2.50ファイルシステム１０７とを接続するように設定する。そして、UDF2.50ファイルシステム１０７により記録されているファイルを認識する。
【００３６】
次に、UDF2.50ファイルシステム１０７によりAVCHD規格に準拠したH.264 TSストリームのファイルを読み出し、ＴＳストリーム処理部１０６によりＨ．２６４形式の圧縮データを生成する。そして、Ｈ．２６４コーデック１０５によりＨ．２６４形式の圧縮データを伸張し、伸張された画像データをVideo Baseband１０１により出力端子を経由して出力する。
【００３７】
図２は、本実施形態に係る画像記録再生装置１００において、DVD＿VIDEO規格で途中まで記録されているＤＶＤ−Ｒのディスク１１２が挿入されている場合に、AVCHD規格による記録動作を行う場合のディスクイメージを示す図である。
【００３８】
ＤＶＤ−Ｒがファイナライズ処理されていない中間状態の場合、ディスク１１２の規定位置にファイルシステム情報は記録されていない。一方、ディスク１１２の最終記録位置に、ファイルシステム情報（UDF1.05準拠）にかわるディスク中間管理情報（UDF1.05準拠）が常に記録されている。通常、この状態では一般的なプレーヤーでの再生はできない。
【００３９】
そこで、ディスク中間管理情報をファイルシステム情報に変換し、ファイルシステム情報と、プレーヤー再生用管理情報（VMGI）とをディスク１１２の規定位置に書き込むファイナライズ処理を行う。これにより、プレーヤーで再生可能なディスクを作成することが可能である。なお、このファイナライズ処理を行った場合は追記記録が不可能になる。
【００４０】
図２（ａ）は、挿入された時点での記録状態を示す。この状態では、DVD＿VIDEO規格のタイトル１の管理情報である「VTS＿01＿0.IFO」と、その動画像ストリームである「VTS＿01＿1.VOB」とが記録されている。さらに、タイトル２の管理情報である「VTS＿02＿0.IFO」と、その動画像ストリームである「VTS＿02＿1.VOB」とが記録されている。
【００４１】
図２（ｂ）は、図２（ａ）に示す状態でAVCHD規格の記録動作を行った場合の状態を示す。この状態では、AVCHD規格のクリップ１の管理情報である「0001.CLPI」と、その動画像ストリームである「0001.M2TS」とが追記記録されている。さらに、クリップ２の管理情報である「0002.CLPI」と、その画像ストリームである「0002.M2TS」とが追記記録されている。
【００４２】
図２（ｃ）は、図２（ｂ）に示す状態からDVD＿VIDEO規格に準拠したファイナライズ処理を行った場合の状態を示す。この状態では、DVD＿VIDEO規格に準拠した「UDF1.05ファイルシステム情報」と、「プレーヤー再生用管理情報（VMGI）」とが記録されている。DVD＿VIDEO規格をサポートしたプレーヤーでは、「VTS＿01＿1.VOB」及び「VTS＿02＿1.VOB」に記録されている動画像データが再生可能な状態となっている。
【００４３】
図２（ｄ）は、図２（ｂ）に示す状態からAVCHD規格に準拠したファイナライズ処理を行った場合の状態を示す。この状態では、AVCHD規格に準拠した「UDF2.50ファイルシステム情報」と、「プレーヤー再生用管理情報（Index / MovieObject / PlayList）」とが記録されている。AVCHD規格をサポートしたプレーヤーでは、「0001.M2TS」及び「0002.M2TS」に記録されている動画像データが再生可能な状態となっている。
【００４４】
また、図２（ｂ）に示す状態のように、DVD＿VIDEO規格とAVCHD規格とが混在するような記録動作を行う場合には、規格が混在したディスクになっていることをユーザに通知するようにする。
【００４５】
図３は、本実施形態に係る画像記録再生装置１００において、DVD＿VIDEO規格で途中まで記録されているＤＶＤ−ＲＷのディスク１１２が挿入されている場合に、AVCHD規格による記録動作を行う場合のディスクイメージを示す図である。
【００４６】
ＤＶＤ−ＲＷがファイナライズされていない中間状態の場合、ＤＶＤ−ＲＷは書き換え可能メディアであるため、ディスク１１２の規定位置にUDF1.05準拠のファイルシステム情報が記録されている。通常この状態ではプレーヤー再生用管理情報（VMGI）が記録されていないため、一般的なプレーヤーでの再生はできない。そこで、プレーヤー再生用管理情報を書き込むファイナライズ処理を行う。これにより、プレーヤーで再生可能なディスクを作成することが可能である。また、このファイナライズ処理を行った場合でもファイナライズ解除を行えば追記記録が可能な状態にすることが可能である。
【００４７】
図３（ａ）は、挿入された時点での記録状態を示す。この状態では、DVD＿VIDEO規格のタイトル１の管理情報である「VTS＿01＿0.IFO」と、その動画像ストリームである「VTS＿01＿1.VOB」とが記録されている。さらに、タイトル２の管理情報である「VTS＿02＿0.IFO」と、その動画像ストリームである「VTS＿02＿1.VOB」とが記録されており、UDF1.05ファイルシステム１０４によって管理されている。
【００４８】
図３（ｂ）は、図３（ａ）に示す状態で、AVCHD規格の記録動作を行った場合の状態を示す。この状態では、AVCHD規格のクリップ１の管理情報である「0001.CLPI」と、その動画像ストリームである「0001.M2TS」とがUDF1.05ファイルシステム１０４によって追記記録されている。さらに、クリップ２の管理情報である「0002.CLPI」と、その動画像ストリームである「0002.M2TS」とがUDF1.05ファイルシステム１０４によって追記記録されている。
【００４９】
図３（ｃ）は、図３（ｂ）に示す状態からDVD＿VIDEO規格に準拠したファイナライズ処理を行った場合の状態を示す。この状態では、DVD＿VIDEO規格に準拠した形式で、「UDF1.05ファイルシステム情報」が更新され、「プレーヤー再生用管理情報（VMGI）」が記録されている。DVD＿VIDEO規格をサポートしたプレーヤーでは、「VTS＿01＿1.VOB」及び「VTS＿02＿1.VOB」に記録されている動画像データが再生可能な状態となっている。
【００５０】
図３（ｄ）は、図３（ｂ）に示す状態からAVCHD規格に準拠したファイナライズ処理を行った場合の状態を示す。この状態では、AVCHD規格に準拠した形式でファイルシステム情報は「UDF1.05ファイルシステム情報」から「UDF2.50ファイルシステム情報」へ変換されている。また、「プレーヤー再生用管理情報（Index / MovieObject / PlayList）」が記録されている。AVCHD規格をサポートしたプレーヤーでは、「0001.M2TS」及び「0002.M2TS」に記録されている動画像データが再生可能な状態となっている。
【００５１】
図４は、本実施形態に係る画像記録再生装置１００において、すでに記録済みのディスク１１２が挿入されている状態から記録動作を行う場合の動作手順の一例を示すフローチャートである。なお、図４に示す各ステップは、ＣＰＵ１０９の制御によって行われる。
まず、ステップＳ４０１において、ユーザの記録要求がDVD＿VIDEO規格のフォーマット形式に基づく記録であるか否かを判断する。この判断の結果、DVD＿VIDEO規格に基づく記録である場合は、ステップＳ４０２において、DISC I/F１０８は、挿入されているディスク１１２のファイルシステムがUDF1.05に準拠したファイル形式であるか否かを判断する。
【００５２】
この判断の結果、UDF1.05に準拠したファイル形式である場合は、ステップＳ４０３に進む。そして、ステップＳ４０３において、変換セレクタ１１１をＰＳストリーム処理部１０３とUDF1.05ファイルシステム１０４とが接続するように設定する。そして、ＭＰＥＧコーデック１０２経由でＰＳストリーム処理部１０３により生成されたMPEG PSストリーム（動画像ストリーム（VOBS））をUDF1.05ファイルシステム１０４によりDISC I/F１０８を介してディスク１１２に記録する。さらに、DVD＿VIDEO規格に準拠した管理情報ファイル（VTSI）をUDF1.05ファイルシステム１０４によりDISC I/F１０８を介してディスク１１２に記録する。
【００５３】
一方、ステップＳ４０２の判断の結果、UDF2.50に準拠したファイル形式である場合は、ステップＳ４０４に進む。そして、ステップＳ４０４において、変換セレクタ１１１をＰＳストリーム処理部１０３とUDF2.50ファイルシステム１０７とが接続するように設定する。そして、ＭＰＥＧコーデック１０２経由でＰＳストリーム処理部１０３により生成されたMPEG PSストリーム（動画像ストリーム（VOBS））をUDF2.50ファイルシステム１０７によりDISC I/F１０８を介してディスク１１２に記録する。さらに、DVD＿VIDEO規格に準拠した管理情報ファイル（VTSI）をUDF2.50ファイルシステム１０７によりDISC I/F１０８を介してディスク１１２に記録する。
【００５４】
一方、ステップＳ４０１の判断の結果、AVCHD規格に基づく記録である場合は、ステップＳ４０５において、挿入されているディスク１１２のファイルシステムがUDF2.50に準拠したファイル形式であるか否かを判断する。
【００５５】
この判断の結果、UDF2.50に準拠したファイル形式である場合は、ステップＳ４０６に進む。そして、ステップＳ４０６において、変換セレクタ１１１をＴＳストリーム処理部１０６とUDF2.50ファイルシステム１０７とが接続するように設定する。そして、Ｈ．２６４ コーデック１０５経由で、ＴＳストリーム処理部１０６で生成されたH.264 TSストリーム（動画像ストリーム（M2TS））をUDF2.50ファイルシステム１０７によりDISC I/F１０８を介してディスク１１２に記録する。さらに、AVCHD規格に準拠した管理情報ファイル（ClipInfo）をUDF2.50ファイルシステム１０７によりDISC I/F１０８を介してディスク１１２に記録する。
【００５６】
一方、ステップＳ４０５の判断の結果、UDF1.05に準拠したファイル形式である場合は、ステップＳ４０７に進む。そして、ステップＳ４０７において、変換セレクタ１１１をＴＳストリーム処理部１０６とUDF1.05ファイルシステム１０４とが接続するように設定する。そして、Ｈ．２６４コーデック１０５経由で、ＴＳストリーム処理部１０６で生成されたH.264 TSストリーム（動画像ストリーム（M2TS））をUDF1.05ファイルシステム１０４によりDISC I/F１０８を介してディスク１１２に記録する。さらに、AVCHD規格に準拠した管理情報ファイル（ClipInfo）をUDF1.05ファイルシステム１０４によりDISC I/F１０８を介してディスク１１２に記録する。
【００５７】
図５は、本実施形態に係る画像記録再生装置１００において、ファイナライズ処理を行う場合の動作手順の一例を示すフローチャートである。なお、図５に示す各ステップは、ＣＰＵ１０９の制御によって行われる。
まず、ステップＳ５０１において、ディスク１１２のファイルシステムがUDF1.05に準拠したファイル形式であるか否かを判断する。この判断の結果、UDF1.05に準拠したファイル形式である場合は、ステップＳ５０２において、AVCHD規格に準拠した動画像ストリーム（M2TS）、及び管理情報ファイル（ClipInfo）が存在するか否かを判断する。
【００５８】
この判断の結果、AVCHD規格に準拠した動画像ストリーム（M2TS）、及び管理情報ファイル（ClipInfo）が存在しない場合は、ステップＳ５０３に進む。そして、ステップＳ５０３において、UDF1.05ファイルシステム１０４により、DISC I/F１０８を介してDVD＿VIDEO規格に準拠したプレーヤー再生用管理情報（VMGI）を作成してディスク１１２に記録し、ファイナライズ処理を行う。
【００５９】
一方、ステップＳ５０２の判断の結果、AVCHD規格に準拠した動画像ストリーム（M2TS）、及び管理情報ファイル（ClipInfo）が存在する場合は、ステップＳ５０４に進む。そして、ステップＳ５０４において、表示制御部１１３は通知手段として機能し、DVD＿VIDEO規格に準拠したファイナライズ処理を行うか否かについての表示を表示部１１４に表示してユーザに問い合わせる。そして、ユーザからDVD＿VIDEO規格に準拠したファイナライズ処理を行う指示を受けたか否かを判断する。この判断の結果、ユーザからDVD＿VIDEO規格に準拠したファイナライズ処理を行う指示を受けた場合は、ステップＳ５０３に進む。
【００６０】
一方、ステップＳ５０４の判断の結果、ユーザからAVCHD規格に準拠したファイナライズ処理を行う指示を受けた場合は、ステップＳ５０５に進む。そして、ステップＳ５０５において、変換セレクタ１１１を用いて、ファイルシステムをUDF1.05からUDF2.50へ変換する処理を行い、ステップＳ５０７に進む。次に、ステップＳ５０７において、UDF2.50ファイルシステム１０７により、AVCHD規格に準拠したプレーヤー再生用管理情報（Index / MovieObject / PlayList）を作成してディスク１１２に記録する。そして、ファイナライズ処理を行う。
【００６１】
一方、ステップＳ５０１の判断の結果、UDF2.50に準拠したファイル形式である場合は、ステップＳ５０６に進む。そして、ステップＳ５０６において、DVD＿VIDEO規格に準拠した動画像ストリーム（VOBS）、及び管理情報ファイル（VTSI）が存在するか否かを判断する。この判断の結果、DVD＿VIDEO規格に準拠した動画像ストリーム（VOBS）、及び管理情報ファイル（VTSI）が存在しない場合は、ステップＳ５０７に進む。
【００６２】
一方、ステップＳ５０６の判断の結果、DVD＿VIDEO規格に準拠した動画像ストリーム（VOBS）、及び管理情報ファイル（VTSI）が存在する場合は、ステップＳ５０８に進む。そして、ステップＳ５０８において、表示制御部１１３は、AVCHD規格に準拠したファイナライズ処理を行うか否かについての表示を表示部１１４に表示してユーザに問い合わせる。そして、ユーザからAVCHD規格に準拠したファイナライズ処理を行う指示を受けたか否かを判断する。
【００６３】
この判断の結果、ユーザからAVCHD規格に準拠したファイナライズ処理を行う指示を受けた場合は、ステップＳ５０７に進む。一方、ステップＳ５０８の判断の結果、ユーザからDVD＿VIDEO規格に準拠したファイナライズ処理を行う指示を受けた場合は、ステップＳ５０９に進む。そして、ステップＳ５０９において、変換セレクタ１１１を用いて、ファイルシステムをUDF2.50からUDF1.05へ変換処理を行い、ステップＳ５０３に進む。
【００６４】
なお、ステップＳ５０２、Ｓ５０４を経由してステップＳ５０３の処理を行った場合、ファイナライズ処理されたディスク１１２には、AVCHD規格に準拠した動画像ストリーム（M2TS）及び管理情報ファイル（ClipInfo）は記録されたままである。また、ステップＳ５０６、Ｓ５０８、及びＳ５０９を経由してステップＳ５０３の処理を行った場合も、AVCHD規格に準拠した動画像ストリーム（M2TS）及び管理情報ファイル（ClipInfo）は記録されたままである。この場合、ファイルシステム（UDF1.05）上ではファイルとして管理されているが、プレーヤー再生用管理情報（VMGI）では管理されない。
【００６５】
一方、ステップＳ５０６、Ｓ５０８を経由してステップＳ５０７の処理を行った場合、ファイナライズされたディスク１１２には、DVD＿VIDEO規格に準拠した動画像ストリーム（VOBS）及び管理情報ファイル（VTSI）は記録されたままである。また、ステップＳ５０２、Ｓ５０４、及びＳ５０５を経由してステップＳ５０７の処理を行った場合も、DVD＿VIDEO規格に準拠した動画像ストリーム（VOBS）及び管理情報ファイル（VTSI）は記録されたままである。この場合、ファイルシステム（UDF2.50）上ではファイルとして管理されているが、プレーヤー再生用管理情報（Index / MovieObject / PlayList）では管理されない。
【００６６】
以上のように、例えば、ディスク１１２がDVD＿VIDEO規格であって、AVCHD規格で記録を行う場合に、AVCHD規格に基づく動画像ストリーム及び管理情報ファイルをUDF1.05ファイルシステム１０４により記録するようにした。これにより、装着されているディスクがどの規格に基づいて記録されているかを意識することなく、動画像データを簡単に記録することができる。
【００６７】
（第２の実施形態）
以下、本発明の第２の実施形態について図面を参照しながら説明する。なお、本実施形態の画像記録再生装置の機能構成は、第１の実施形態と同様であるため、説明は省略する。本実施形態では、画像記録再生装置１００を再生装置として用いる場合について説明する。具体的には、DVD＿VIDEO規格準拠の動画像ストリーム（VOBS）と管理情報ファイル（VTSI）とAVCHD規格準拠の動画像ストリーム（M2TS）と管理情報ファイル（ClipInfo）とが混在している場合の再生方法について説明する。
【００６８】
図６は、DVD＿VIDEO規格に準拠したファイルとAVCHD規格に準拠したファイルとが混在したディスクのイメージを示す図である。
図６において、ファイルシステム情報は、UDF1.05に準拠したファイル形式で記録されおり、プレーヤー再生用管理情報（VMGI）が記録されている。さらに、DVD＿VIDEO規格に準拠した管理情報ファイル（「VTS＿01＿0.IFO」、「VTS＿02＿0.IFO」）、及び動画像ストリーム（「VTS＿01＿1.VOB」、「VTS＿02＿1.VOB」）が記録されている。一方、AVCHD規格に準拠したものは、管理情報ファイル（「0001.CLPI」、「0002.CLPI」）、及び動画像ストリーム（「0001.M2TS」、「0002.M2TS」）が記録されている。
【００６９】
図７は、本実施形態に係る画像記録再生装置１００において、DVD＿VIDEO規格に準拠したファイルとAVCHD規格に準拠したファイルとが混在したディスク１１２から動画像ストリームを読み出して再生する手順の一例を示すフローチャートである。なお、図７に示す各ステップは、ＣＰＵ１０９の制御によって行われる。
まず、ステップＳ７０１において、DISC I/F１０８は判別手段として機能し、ファイルシステムの判別を行う。すなわち、フォーマット形式がどの規格のものであるかを判別して、ファイルシステムの判別を行う。図６に示す例では、DISC I/F１０８により、ファイルシステムがUDF1.05であることを判別する。
【００７０】
次に、ステップＳ７０２において、DISC I/F１０８は検出手段として機能し、UDF1.05に準拠したファイルから、DVD＿VIDEO規格準拠の管理ファイル（VTSI）、及びAVCHD規格準拠の管理ファイル（ClipInfo）を検索する。この動作による検索結果は、「VTS＿01＿0.IFO」、「VTS＿02＿0.IFO」、「0001.CLPI」、「0002.CLPI」である。
【００７１】
次に、ステップＳ７０３において、画像記録再生装置１００は、この検索結果を元に再生可能な動画像ストリームを決定する。これにより再生可能な動画像ストリームは、「VTS＿01＿1.VOB」、「VTS＿02＿1.VOB」、「0001.M2TS」、及び「0002.M2TS」となる。そして、表示制御部１１３は通知手段として機能し、DVD＿VIDEO規格及びAVCHD規格の両方の動画像ストリームを再生可能なコンテンツとして、表示部１１４に一覧表示してユーザに通知する。
【００７２】
次に、ステップＳ７０４以降において、ユーザが選択した動画像ストリームにあわせた再生動作を行う。
【００７３】
例えば、「VTS＿01＿1.VOB」をユーザが選択した場合は、ステップＳ７０４において、UDF1.05ファイルシステム１０４とＰＳストリーム処理部１０３とが接続するように変換セレクタ１１１を設定する。そして、ステップＳ７０５において、ＭＰＥＧコーデック１０２による復号化方式を用いた再生動作を行う。一方、「0001.M2TS」をユーザが選択した場合は、ステップＳ７０４において、UDF1.05ファイルシステム１０４とＴＳストリーム処理部１０６とが接続するように変換セレクタ１１１を設定する。そして、ステップＳ７０５において、Ｈ．２６４コーデック１０５による復号化方式を用いた再生動作を行う。
【００７４】
また、図６に示すようなDVD＿VIDEO規格とAVCHD規格とが混在しているディスクである場合に、規格が混在しているディスクであることを表示部１１４に表示してユーザに通知するようにしてもよい。
【００７５】
また、本実施形態では、DVD＿VIDEO規格に準拠したファイナライズ処理を行った混在ディスクを再生する例について説明した。一方、AVCHD規格に準拠したファイナライズ処理を行った混在ディスクを再生する場合にも同等の処理を行う。また、本実施形態では、DVD＿VIDEO及びAVCHDの規格について説明したが、DVD＿VR及びAVCHDの規格に対しても同等の処理を行うことができる。
【００７６】
以上のように、例えば、ディスク１１２がDVD＿VIDEO規格でファイナライズされている場合、AVCHD規格に基づく動画像ストリーム及び管理情報ファイルをUDF1.05ファイルシステム１０４から読み出して再生するようにした。これにより、複数の動画像ストリームが異なる規格で記録されている場合であっても、規格を意識することなく所望の動画像ストリームを再生することができる。
【００７７】
（本発明に係る他の実施形態）
前述した本発明の実施形態における記録装置及び再生装置を構成する各手段、並びに記録方法及び再生方法の各工程は、コンピュータのＲＡＭやＲＯＭなどに記憶されたプログラムが動作することによって実現できる。このプログラム及び前記プログラムを記憶したコンピュータ読み取り可能な記憶媒体は本発明に含まれる。
【００７８】
また、本発明は、例えば、システム、装置、方法、プログラムもしくは記憶媒体等としての実施形態も可能であり、具体的には、複数の機器から構成されるシステムに適用してもよいし、また、一つの機器からなる装置に適用してもよい。
【００７９】
なお、本発明は、前述した実施形態の機能を実現するソフトウェアのプログラム（実施形態では図４、５、７に示すフローチャートに対応したプログラム）を、システムまたは装置に直接、または遠隔から供給する場合も含む。そして、そのシステムまたは装置のコンピュータが前記供給されたプログラムコードを読み出して実行することによっても達成される場合を含む。
【００８０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００８１】
その場合、プログラムの機能を有していれば、オブジェクトコード、インタプリタにより実行されるプログラム、ＯＳに供給するスクリプトデータ等の形態であってもよい。
【００８２】
プログラムを供給するための記憶媒体としては、例えば、フレキシブルディスク、ハードディスク、光ディスク、光磁気ディスクなどがある。さらに、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）などもある。
【００８３】
その他、プログラムの供給方法としては、クライアントコンピュータのブラウザを用いてインターネットのホームページに接続する方法がある。そして、前記ホームページから本発明のコンピュータプログラムそのもの、もしくは圧縮され自動インストール機能を含むファイルをハードディスク等の記憶媒体にダウンロードすることによっても供給できる。
【００８４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００８５】
また、その他の方法として、本発明のプログラムを暗号化してＣＤ−ＲＯＭ等の記録媒体に格納してユーザに配布し、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００８６】
また、コンピュータが、読み出したプログラムを実行することによって、前述した実施形態の機能が実現される。さらに、そのプログラムの指示に基づき、コンピュータ上で稼動しているＯＳなどが、実際の処理の一部または全部を行い、その処理によっても前述した実施形態の機能が実現され得る。
【００８７】
さらに、その他の方法として、まず記憶媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００８８】
【図１】本発明の第１の実施形態に係る画像記録再生装置の機能構成例を示すブロック図である。
【図２】本発明の第１の実施形態に係る画像記録再生装置におけるＤＶＤ−ＲのDVD＿VIDEO規格のディスクにAVCHD規格による追記記録動作を行う場合のディスクイメージを示す図である。
【図３】本発明の第１の実施形態に係る画像記録再生装置におけるＤＶＤ−ＲＷのDVD＿VIDEO規格のディスクにAVCHD規格による追記記録動作を行う場合のディスクイメージを示す図である。
【図４】本発明の第１の実施形態に係る画像記録再生装置における記録済みディスクに追記記録を行う場合の処理手順の一例を示すフローチャートである。
【図５】本発明の第１の実施形態に係る画像記録再生装置におけるファイナライズ処理の手順の一例を示すフローチャートである。
【図６】本発明の第２の実施形態に係る画像記録再生装置における規格混在ディスクのイメージを示す図である。
【図７】本発明の第２の実施形態に係る画像記録再生装置において、DVD＿VIDEO規格に準拠したファイルとAVCHD規格に準拠したファイルとが混在したディスクから動画像ストリームを読み出して再生する手順の一例を示すフローチャートである。
【符号の説明】
【００８９】
１００  画像記録再生装置
１０１  Video Baseband
１０２  ＭＰＥＧコーデック
１０３  ＰＳストリーム処理部
１０４  UDF1.05ファイルシステム
１０５  Ｈ．２６４コーデック
１０６  ＴＳストリーム処理部
１０７  UDF2.50ファイルシステム
１０８  DISC I/F
１０９  ＣＰＵ
１１０  制御用データバス
１１１  変換セレクタ
１１２  ディスク
１１３  表示制御部
１１４  表示部
１１５  操作スイッチ
【図１】
2009017478.tif 000003
【図２】
2009017478.tif 000004
【図３】
2009017478.tif 000005
【図４】
2009017478.tif 000006
【図５】
2009017478.tif 000007
【図６】
2009017478.tif 000008
【図７】
2009017478.tif 000009